(57)【要約】【課題】製造コストの増大及び鑑別に要する時間の増大を抑え、かつ商品券が提示された場合の操作者の負担を低減すること。【解決手段】入金許可指令が与えられた後に紙幣が投入された場合に鑑別手段によってこれを鑑別し、正規の紙幣を収納庫に収納する金銭処理装置において、予め設定した入券許可指令が与えられた場合、鑑別手段の鑑別条件を変更し、その後に投入された投入対象が既知の商品券であるか否かを鑑別する鑑別制御手段を備え、鑑別制御手段によって投入対象が既知の商品券であると鑑別された場合にこれを収納庫に収納する。【選択図】図５
2011065417.tif 000002
【特許請求の範囲】
【請求項１】
入金許可指令が与えられた後に紙幣が投入された場合に鑑別手段によってこれを鑑別し、正規の紙幣を収納庫に収納する金銭処理装置において、
予め設定した入券許可指令が与えられた場合、鑑別手段の鑑別条件を変更し、その後に投入された投入対象が既知の商品券であるか否かを鑑別する鑑別制御手段を備え、
前記鑑別制御手段によって投入対象が既知の商品券であると鑑別された場合にこれを収納庫に収納することを特徴とする金銭処理装置。
【請求項２】
前記鑑別制御手段は、入券許可指令が与えられた場合に鑑別手段を、既知の商品券に印された識別情報の鑑別のみを行う鑑別条件に設定することを特徴とする請求項１に記載の金銭処理装置。
【請求項３】
装置本体の内部に商品券を収納する専用の商品券収納庫を配設し、既知の商品券が投入された場合、当該商品券を商品券収納庫に収納することを特徴とする請求項１に記載の金銭処理装置。
【発明の詳細な説明】
【技術分野】
【０００１】
本発明は、ＰＯＳ（Ｐｏｉｎｔ Ｏｆ Ｓａｌｅｓ）レジスタ装置に付設される自動釣銭機のように、入金許可指令が与えられた後に紙幣が投入された場合に鑑別手段によってこれを鑑別し、正規の紙幣を収納庫に収納する金銭処理装置に関するものである。
【背景技術】
【０００２】
昨今の金銭処理装置には、その利便性を向上させるため、商品券を投入処理するようにしたものが提供されている。この金銭処理装置では、投入口に紙幣もしくは商品券が投入された場合、まず、商品券であるか否かを鑑別する。投入対象が商品券であった場合には、商品券用の収納庫にこれを収納する。投入対象が商品券でなかった場合には、次に紙幣であるか否かの鑑別を行う。正規の紙幣であった場合には、これを紙幣用の収納庫に格納する。投入対象が商品券及び紙幣のいずれでもなかった場合には、出金口からこれを外部に排出する（例えば、特許文献１参照）。
【０００３】
この金銭処理装置によれば、例えば、紙幣と商品券とを混在して投入口に投入した場合にも、それぞれを正確に鑑別することができるため、商品購入者が商品券を提示した場合にも金銭処理装置の操作者の負担を著しく低減することが可能となる。さらに、鑑別された紙幣と商品券とが個別の収納庫に収納されるため、その後にこれら紙幣もしくは商品券を取り扱う場合にも容易に行うことができるようになる。
【先行技術文献】
【特許文献】
【０００４】
【特許文献１】特開２００７−３４５２３号公報
【発明の概要】
【発明が解決しようとする課題】
【０００５】
ところで、上記のような金銭処理装置では、紙幣を鑑別する紙幣鑑別手段のほかに、商品券を鑑別するための専用の鑑別手段が必須となるため、金銭処理装置の製造コストが増大せざるを得ない。しかも、紙幣が投入された場合には、商品券用の鑑別手段において鑑別された後、さらに紙幣用の鑑別手段において鑑別が行われることになる。この結果、紙幣のみを処理するものに比べて鑑別に要する時間が長大化し、自動釣銭機として適用した場合に商品購入者の待ち時間が増大する等の問題を招来する。
【０００６】
本発明は、上記実情に鑑みて、製造コストの増大及び鑑別に要する時間の増大を抑え、かつ商品券が提示された場合の操作者の負担を低減することのできる金銭処理装置を提供することを目的とする。
【課題を解決するための手段】
【０００７】
上記目的を達成するため、本発明に係る金銭処理装置は、入金許可指令が与えられた後に紙幣が投入された場合に鑑別手段によってこれを鑑別し、正規の紙幣を収納庫に収納する金銭処理装置において、予め設定した入券許可指令が与えられた場合、鑑別手段の鑑別条件を変更し、その後に投入された投入対象が既知の商品券であるか否かを鑑別する鑑別制御手段を備え、前記鑑別制御手段によって投入対象が既知の商品券であると鑑別された場合にこれを収納庫に収納することを特徴とする。
【０００８】
また、本発明は、上述の金銭処理装置において、前記鑑別制御手段は、入券許可指令が与えられた場合に鑑別手段を、既知の商品券に印された識別情報の鑑別のみを行う鑑別条件に設定することを特徴とする。
【０００９】
また、本発明は、上述の金銭処理装置において、装置本体の内部に商品券を収納する専用の商品券収納庫を配設し、既知の商品券が投入された場合、当該商品券を商品券収納庫に収納することを特徴とする。
【発明の効果】
【００１０】
本発明によれば、単一の鑑別手段によって紙幣と商品券とを鑑別することができるため、製造コストが増大する事態を可及的に抑えた上で操作者の負担を低減できるようになる。しかも、投入される投入対象に応じて鑑別手段の鑑別条件が変更されることになるため、鑑別に要する処理時間も大幅に短縮化することが可能となる。
【図面の簡単な説明】
【００１１】
【図１】図１は、本発明の実施の形態である金銭処理装置及びこれに接続されるＰＯＳレジスタ装置の外観構成を示した斜視図である。
【図２】図２は、図１に示した金銭処理装置の内部構成を概念的に示す平面図である。
【図３】図３は、図１に示した金銭処理装置の内部構成を概念的に示す側面図である。
【図４】図４は、図１に示したＰＯＳレジスタ装置及び金銭処理装置の制御系を示すブロック図である。
【図５】図５は、図４に示した金銭処理装置の制御手段が実行する釣銭モード処理の内容を示すフローチャートである。
【発明を実施するための形態】
【００１２】
以下に添付図面を参照して、本発明に係る金銭処理装置の好適な実施の形態について詳細に説明する。
【００１３】
図１は、本発明の実施の形態である金銭処理装置を適用した金銭処理システムを示したものである。ここで例示する金銭処理システムは、ＰＯＳレジスタ装置ＰＲと、自動釣銭機１０として用いられる金銭処理装置とを備えて構成し、スーパーマーケットやコンビニエンスストア等の店舗において以下に記載するような金銭の入出金処理並びに商品券の入券処理を行うものである。尚、本実施の形態において投入対象となる商品券は、紙幣と同等の大きさを有し、予め設定した位置に商品券の識別情報や金額情報が、バーコード等の予め設定した既知の形態で印刷されているものとする。また、以下においては便宜上、紙幣及び商品券を区別しない場合、両者を「金券」と総称することとする。
【００１４】
（ＰＯＳレジスタ装置の外観構造）
ＰＯＳレジスタ装置ＰＲは、図１に示すように、装置本体Ｋの上面に入力手段ＩＦ及び表示手段ＤＰを備えている。入力手段ＩＦは、商品情報の入力や自動釣銭機１０に対する指令の入力を行うもので、テンキーや各種機能キーを備えて構成してある。表示手段ＤＰは、操作者に対して各種情報を表示するためのもので、比較的大型の液晶表示器によって構成してある。
【００１５】
（自動釣銭機の構造）
自動釣銭機１０は、図１〜図３に示すように、直方体状を成す装置本体１１の前端部に硬貨投入口１２、硬貨出金口１３、金券投入口１４、金券出金口１５を備えている。
【００１６】
硬貨投入口１２は、投入された硬貨を装置本体１１の内部に受け入れるための開口であり、装置本体１１の上面に形成してある。硬貨投入口１２に投入された硬貨は、図示せぬ投入検出センサによって検出された後、図２に示すように、硬貨収納部１６の硬貨搬送機構１７によって搬送される。搬送された硬貨は、硬貨鑑別センサ１８によって鑑別された後、一時保留庫１７Ａに一旦収容され、さらにその後に金種に応じた硬貨収納庫１９に収納されることになる（図２中の実線矢印Ａ）。本実施の形態では、装置本体１１の内部に１円硬貨収納庫１９ａ、５０円硬貨収納庫１９ｂ、５円硬貨収納庫１９ｃ、１００円硬貨収納庫１９ｄ、１０円硬貨収納庫１９ｅ、５００円硬貨収納庫１９ｆが設けてあり、鑑別した後の硬貨を金種ごとに個別に収納するようにしている。硬貨出金口１３は、それぞれの硬貨収納庫１９から搬出された硬貨を装置本体１１の外部に払い出すための開口であり、装置本体１１の前面に形成してある。尚、硬貨鑑別センサ１８において正規の硬貨でないと判断されたリジェクト硬貨は、図中の破線矢印Ｂで示すように、硬貨出金口１３を介して受け皿２０Ａに排出されることになる。また、硬貨が一時保留庫１７Ａに保留されている状態においてキャンセル操作した場合には、図中の二点鎖線矢印Ｃで示すように、一時保留庫１７Ａから硬貨返却口２０Ｂに払い出されることになる。
【００１７】
金券投入口１４は、投入された金券を装置本体１１の内部に受け入れるための開口であり、装置本体１１の前面上部に設けてある。金券投入口１４に投入された金券は、図示せぬ投入検出センサによって検出された後、図３に示すように、金券収納部２１の金券搬送機構２２によって搬送される。搬送された金券は、金券鑑別センサ（鑑別手段）２３によって鑑別された後、金種に応じた金券収納庫２４に収納されることになる。本実施の形態では、装置本体１１の内部に予備収納庫（商品券収納庫）２４ａ、１０００円紙幣収納庫２４ｂ、混合紙幣収納庫２４ｃが設けてあり、投入された金券を商品券、１０００円札及びその他の紙幣の３種類に分別して収納するようにしている。金券出金口１５は、金券収納庫２４から搬出された金券を装置本体１１の外部に払い出すための開口であり、装置本体１１の前面下部に設けてある。
【００１８】
また、装置本体１１の前方部には、図１に示すように、表示手段２５及び入力手段２６が設けてある。表示手段２５は、操作者に対して各種表示を行うためのもので、ＰＯＳレジスタ装置ＰＲの表示手段ＤＰに比較して小型の液晶表示器によって構成してある。入力手段２６は、操作者が各種指令を入力するためのもので、例えば複数の押ボタンスイッチによって構成してある。
【００１９】
（ＰＯＳレジスタ装置の制御系）
図４は、上述したＰＯＳレジスタ装置ＰＲ及び自動釣銭機１０の制御系を示すブロック図である。ＰＯＳレジスタ装置ＰＲのレジスタ制御手段ＲＣは、入力手段ＩＦの操作により指令が与えられた場合、あるいは通信インターフェースＣＩを通じて自動釣銭機１０から各種情報が与えられた場合、メモリＲＡＭに格納したプログラムや初期データに基づいて表示手段ＤＰの表示制御を行い、かつ通信インターフェースＣＩを通じて自動釣銭機１０に各種指令を与えることにより、自動釣銭機１０の動作制御を行うものである。このレジスタ制御手段ＲＣは、通信制御部ＲＣａ、入力制御部ＲＣｂ、出力制御部ＲＣｃ、入出金制御部ＲＣｄ、商品券管理部ＲＣｅを有している。
【００２０】
通信制御部ＲＣａは、通信インターフェースＣＩを介して接続された自動釣銭機１０との間においてデータの送受信制御を行うものである。入力制御部ＲＣｂは、入力手段ＩＦが操作された場合にこれに対応する指令を各部に与えるものである。出力制御部ＲＣｃは、表示指令を与えることによって表示手段ＤＰに所望の表示を行う等、表示手段ＤＰに対する表示制御を行うものである。
【００２１】
入出金制御部ＲＣｄは、自動釣銭機１０との間において入出金処理に関する情報を送受信することにより、自動釣銭機１０に入金処理及び出金処理を実施させるものである。より詳細に説明すると、入出金制御部ＲＣｄは、入力手段ＩＦを通じて商品の金額情報が与えられた場合にこれを順次加算して合計金額を算出し、この合計金額に応じた入金許可指令を自動釣銭機１０に対して送信する処理を行う。その後、合計金額以上の入金額情報が自動釣銭機１０から与えられると、これに対応して自動釣銭機１０に入金終了指令を与え、さらに釣銭の出金が必要な場合、自動釣銭機１０に対して出金指令を送信する処理を行う。
【００２２】
商品券管理部ＲＣｅは、入力手段ＩＦを通じて商品券の取り扱い指示が入力された場合、自動釣銭機１０に対して入券許可指令を送信する処理を行うものである。
【００２３】
（自動釣銭機の制御系）
自動釣銭機１０の制御手段３０は、入力手段２６を通じて指令が与えられた場合、あるいは硬貨鑑別センサ１８、金券鑑別センサ２３から検出信号が与えられた場合、さらには上位装置であるＰＯＳレジスタ装置ＰＲから各種指令が与えられた場合、メモリ３１に格納したプログラムや初期データに基づいて表示手段２５の表示制御、硬貨搬送機構１７の駆動制御、金券搬送機構２２の駆動制御を行うものである。図４からも明らかなように、自動釣銭機１０の制御手段３０は、通信制御部３２、入力制御部３３、出力制御部３４、搬送制御部３５、入出金処理部３６、商品券処理部３７、鑑別制御部（鑑別制御手段）３８を有している。
【００２４】
通信制御部３２は、通信インターフェース３９を介して接続されたＰＯＳレジスタ装置ＰＲとの間においてデータの送受信制御を行うものである。入力制御部３３は、入力手段２６が操作された場合にこれに対応する指令を各部に与えるものである。出力制御部３４は、表示指令を与えることによって表示手段２５に所望の表示を行う等、表示手段２５に対する表示制御を行うものである。搬送制御部３５は、搬送指令が与えられた場合に、この搬送指令に従って硬貨搬送機構１７、金券搬送機構２２の駆動を制御するものである。
【００２５】
入出金処理部３６は、ＰＯＳレジスタ装置ＰＲから入力許可指令が与えられた後に貨幣が投入された場合に、入金許可指令に従って貨幣の入金処理を行い、かつＰＯＳレジスタ装置ＰＲから出金指令が与えられた場合に、出金指令に従って貨幣の出金処理を行うものである。
【００２６】
商品券処理部３７は、ＰＯＳレジスタ装置ＰＲから入券許可指令が与えられた後に商品券が投入された場合、入券許可指令に従って商品券の受け入れ処理を行うものである。鑑別制御部３８は、ＰＯＳレジスタ装置ＰＲから入券許可指令が与えられた場合に、金券鑑別センサ２３の鑑別条件を紙幣の鑑別に適した紙幣入金用から商品券の鑑別に適した商品券入券用に変更するものである。例えば、上述したように、本実施の形態では、識別情報や金額情報が印刷されている位置及びその形態が予め設定された既知の商品券を投入対象としている。従って、金券鑑別センサ２３の鑑別条件としては、識別情報や金額情報が印刷されている位置を鑑別対象とし、かつ紙幣を鑑別する場合に比べて鑑別精度を低下させるようにしても良い。
【００２７】
（釣銭モード処理）
図５は、図４に示した制御手段３０が繰り返し実施する釣銭モード処理（入金処理及び出金処理）の内容を示すフローチャートである。以下、このフローチャートを適宜参照しながら、自動釣銭機１０の動作について説明する。
【００２８】
図５に示す釣銭モード処理において制御手段３０は、通信制御部３２を通じてＰＯＳレジスタ装置ＰＲからの入金許可指令及び入券許可指令を監視する（ステップＳ１０１、ステップＳ１１０）。ＰＯＳレジスタ装置ＰＲから入金許可指令及び入券許可指令が与えられなかった場合（ステップＳ１０１：ＮＯ→ステップＳ１１０：ＮＯ）、制御手段３０は、手順を後述のステップＳ１０８に移行させる。
【００２９】
これに対してＰＯＳレジスタ装置ＰＲから入金許可指令が与えられた場合（ステップＳ１０１：ＹＥＳ）、制御手段３０は、鑑別制御部３８を通じて金券鑑別センサ２３の鑑別条件を紙幣入金用に設定し（ステップＳ１０２）、その後、図示せぬ投入検出センサを通じて硬貨投入口１２及び金券投入口１４に対する入金の監視を行う（ステップＳ１０３）。
【００３０】
硬貨投入口１２もしくは金券投入口１４からの入金を確認した場合（ステップＳ１０３：ＹＥＳ）、制御手段３０は、硬貨鑑別センサ１８もしくは金券鑑別センサ２３を介して貨幣の鑑別を行い、該鑑別結果に従って、対応する収納庫１９，２４に貨幣を搬送する処理を行う（ステップＳ１０４）。
【００３１】
ここで、この自動釣銭機１０によれば、紙幣及び商品券の鑑別を単一の金券鑑別センサ２３によって行うようにしているため、紙幣及び商品券を個別の鑑別センサによって鑑別するものに比べて鑑別に要する時間を短縮することができ、商品購入者の待ち時間が増大する問題も招来しない。尚、入金を検出しなかった場合（ステップＳ１０３：ＮＯ）、制御手段３０は、ステップＳ１０４の処理を経ることなく手順を進める。
【００３２】
次いで、制御手段３０は、通信制御部３２を通じてＰＯＳレジスタ装置ＰＲからの入金額要求があるか否かを監視し（ステップＳ１０５）、入金額要求があった場合（ステップＳ１０５：ＹＥＳ）、通信制御部３２を通じて現在の入金額に関する情報をＰＯＳレジスタ装置ＰＲに送信する処理を行う（ステップＳ１０６）。尚、入金額要求がなかった場合（ステップＳ１０５：ＮＯ）、制御手段３０は、ステップＳ１０６を経ることなく手順を進める。
【００３３】
その後、制御手段３０は、ＰＯＳレジスタ装置ＰＲから入金終了指令があったか否かを判断し（ステップＳ１０７）、入金終了指令がなかった場合（ステップＳ１０７：ＮＯ）、手順をステップＳ１０３にリターンさせて上述したステップＳ１０３〜ステップＳ１０７の処理を繰り返し実行する。
【００３４】
これに対してＰＯＳレジスタ装置ＰＲから入金終了指令があった場合（ステップＳ１０７：ＹＥＳ）、制御手段３０は、ＰＯＳレジスタ装置ＰＲから出金指令があるか否かを監視する（ステップＳ１０８）。
【００３５】
ＰＯＳレジスタ装置ＰＲから出金指令が与えられた場合（ステップＳ１０８：ＹＥＳ）、制御手段３０は、搬送制御部３５を通じて硬貨収納庫１９や金券収納庫２４に収納された貨幣を釣銭として硬貨出金口１３もしくは金券出金口１５から払い出す処理を実施し（ステップＳ１０９）、今回の釣銭モード処理を終了する。尚、ＰＯＳレジスタ装置ＰＲから出金指令が与えられなかった場合（ステップＳ１０８：ＮＯ）、制御手段３０は、ステップＳの処理を経ることなく今回の釣銭モード処理を終了する。
【００３６】
上述した状況は、例えば、ＰＯＳレジスタ装置ＰＲにおいて操作者（レジ担当者）による購入商品の登録が終了し、その合計金額以上の貨幣を商品購入者から預かった操作者がこれを自動釣銭機１０に投入する場面であり、購入商品の登録が終了した後にＰＯＳレジスタ装置ＰＲから自動釣銭機１０の制御手段３０に対して入金許可指令が与えられる。一方、貨幣が投入された自動釣銭機１０からＰＯＳレジスタ装置ＰＲに入金額情報が送信されると、ＰＯＳレジスタ装置ＰＲにおいて（釣銭）＝（入金額）−（購入合計金額）が算出され、釣銭がある場合には釣銭に対応した出金指令が入金終了指令の後に自動釣銭機１０に出力される。出金指令が与えられた自動釣銭機１０では、釣銭に相当する貨幣が硬貨出金口１３もしくは金券出金口１５から払い出され、ＰＯＳレジスタ装置ＰＲから出力されたレシートとともにこの釣銭が商品購入者に手渡される。
【００３７】
一方、ステップＳ１１０においてＰＯＳレジスタ装置ＰＲから入券許可指令が与えられた場合（ステップＳ１１０：ＹＥＳ）、制御手段３０は、鑑別制御部３８を通じて金券鑑別センサ２３の鑑別条件を商品券入券用に設定し（ステップＳ１１１）、その後、図示せぬ投入検出センサを通じて金券投入口１４に対する商品券の入券監視を行う（ステップＳ１１２）。
【００３８】
金券投入口１４から商品券の入券を確認した場合（ステップＳ１１２：ＹＥＳ）、制御手段３０は、金券鑑別センサ２３を介して商品券の鑑別を行った後、これを予備収納庫２４ａに搬送する処理を行う（ステップＳ１１３）。ここで、この自動釣銭機１０においては、商品券が投入される際に予めＰＯＳレジスタ装置ＰＲから入券許可指令が与えられるため、換言すれば、鑑別すべき商品券の識別情報や金額情報が印刷されている位置が特定されるため、紙幣を鑑別する場合に比べて金券鑑別センサ２３の鑑別精度を低下させた場合にも、商品券を確実に鑑別することが可能である。さらに、商品券の鑑別時間を大幅に短縮することも可能となる。尚、商品券の入券を検出しなかった場合（ステップＳ１１２：ＮＯ）、制御手段３０は、ステップＳ１１３の処理を経ることなく手順を進める。
【００３９】
次いで、制御手段３０は、通信制御部３２を通じてＰＯＳレジスタ装置ＰＲから商品券による入金額要求があるか否かを監視し（ステップＳ１１４）、入金額要求があった場合（ステップＳ１１４：ＹＥＳ）、通信制御部３２を通じて商品券の入金額に関する情報をＰＯＳレジスタ装置ＰＲに送信する処理を行う（ステップＳ１１５）。尚、入金額要求がなかった場合（ステップＳ１１４：ＮＯ）、制御手段３０は、ステップＳ１１５を経ることなく手順を進める。
【００４０】
その後、制御手段３０は、ＰＯＳレジスタ装置ＰＲから入券終了指令があったか否かを判断し（ステップＳ１１６）、入券終了指令がなかった場合（ステップＳ１１６：ＮＯ）、手順をステップＳ１１２にリターンさせて上述したステップＳ１１２〜ステップＳ１１６の処理を繰り返し実行する。
【００４１】
これに対してＰＯＳレジスタ装置ＰＲから入券終了指令があった場合（ステップＳ１１６：ＹＥＳ）、制御手段３０は、手順をステップＳ１０８に進め、商品券の取り扱いを終了する。
【００４２】
上述した状況は、例えば、ＰＯＳレジスタ装置ＰＲにおいて操作者による購入商品の登録が終了し、商品購入者から預かった商品券を自動釣銭機１０に投入する場面であり、操作者の操作により、ＰＯＳレジスタ装置ＰＲから自動釣銭機１０の制御手段３０に対して入券許可指令が与えられ、金券投入口１４から投入した商品券を装置本体１１の内部に収納することができるようになる。
【００４３】
以降、上述した釣銭モード処理が繰り返し実施され、自動釣銭機１０において貨幣の入出金処理及び商品券の入券処理を行うことが可能となる。
【００４４】
以上説明したように、上述した自動釣銭機１０によれば、単一の金券鑑別センサ２３によって紙幣と商品券とを鑑別するようにしているため、製造コストが増大する事態を可及的に抑えた上で操作者の負担を低減できるようになる。しかも、投入される投入対象に応じて金券鑑別センサ２３の鑑別条件が変更されることになるため、鑑別に要する処理時間を大幅に短縮化することが可能となる。
【００４５】
尚、上述した実施の形態では、硬貨及び紙幣を取り扱う金銭処理装置において商品券を収納することができるものを例示しているが、紙幣及び商品券を取り扱うものとして構成しても構わない。
【符号の説明】
【００４６】
１０      自動釣銭機
１８      硬貨鑑別センサ
１９      硬貨収納庫
２３      金券鑑別センサ
２４      金券収納庫
３６      入出金処理部
３７      商品券処理部
３８      鑑別制御部
【図１】
2011065417.tif 000003
【図２】
2011065417.tif 000004
【図３】
2011065417.tif 000005
【図４】
2011065417.tif 000006
【図５】
2011065417.tif 000007